(57)【特許請求の範囲】
【請求項１】
物品を載置する物品載置部を有し、室内壁面に固定される棚本体部材と、物品載置部に
載置された物品が、物品載置部周縁から落下するのを防止する落下防止ガード部材とを備
え、前記落下防止ガード部材が、枠形状をしているとともに、前記室内壁面側で室内壁面に平行な回転軸を中心に回転し、落下防止位置と落下防止解除位置とを選択可能に前記棚本体部材に枢支されている収納棚であって、
前記棚本体部材が、室内壁面側の端縁に沿って上面に軸受け溝が穿設され、両側面に円弧状のガイド溝が穿設された軸受け部を有し、前記落下防止ガード部材が、枠状本体と、前記軸受け部を軸受け溝の軸方向両側から挟むように前記枠状本体から延出する1対のカバー部と、このカバー部間に掛け渡されるように設けられ、前記軸受け溝に嵌り込んで軸受け溝内で回転自在に支持される軸部と、両カバー部の前記軸受け部側の面に設けられ、軸部が軸受け溝に支持された状態で前記ガイド溝にスライド自在に嵌り込むガイド突起とを備え、前記枠状本体が軸部を中心にして落下防止位置から落下防止解除位置方向に所定位置以上まで回転したとき、枠状本体の回転に伴ってガイド溝に沿ってスライドしたガイド突起のスライド位置でガイド突起を中心に軸部が回転して軸受け溝から離脱可能に構成されていることを特徴とする収納棚。
【発明の詳細な説明】
【技術分野】
【０００１】
本発明は、シャワーユニットや浴室ユニット等の衛生設備室に使用される収納棚に関する。
【背景技術】
【０００２】
浴室の内壁面には、シャンプーボトルや石鹸箱等を載置することができる収納棚が取り付けられている。
この種の収納棚においては、載置されたシャンプーボトルなどの載置物品が載置部から滑り落ちたりしないように、落下防止ガード（防御柵）が設けられている（特許文献１参照）。
【０００３】
また、落下防止ガードが壁面側で壁面に平行な軸を中心に回転するように棚本体に枢支されている収納棚が既に提案されている(特許文献２参照)。
すなわち、この収納棚は、上記のように落下防止ガードが枢支軸を中心に回転自在になっているので、物品を載置して使用する場合には、落下防止ガードを所定の落下防止位置にしておき、棚本体の清掃を行う場合に、落下防止ガードを枢支軸を中心に回転させれば、落下防止ガードが邪魔になることなく棚本体を清掃することができる。
【０００４】
しかしながら、従来の落下防止ガードは、平面視略コ字形をしていて、コ字の両側の開口端を軸ピン等によって棚本体に軸支するようになっているため、強度の問題があり、使用中に脱落、破損の恐れがある。
【０００５】
【特許文献１】特開２００２−０５１８６１号公報
【特許文献２】特開２００５−３４８９５４号公報
【発明の開示】
【発明が解決しようとする課題】
【０００６】
本発明は、上記事情に鑑みて、強度的に優れた落下防止ガードを備え、清掃性に富んだ収納棚を提供することを目的としている。
【課題を解決するための手段】
【０００７】
上記目的を達成するために、本発明にかかる収納棚は、物品を載置する物品載置部を有し、室内壁面に固定される棚本体部材と、物品載置部に載置された物品が、物品載置部周縁から落下するのを防止する落下防止ガード部材とを備え、前記落下防止ガード部材が、枠形状をしているとともに、前記室内壁面側で室内壁面に平行な回転軸を中心に回転し、落下防止位置と落下防止解除位置とを選択可能に前記棚本体部材に枢支されている収納棚であって、前記棚本体部材が、室内壁面側の端縁に沿って上面に軸受け溝が穿設され、両側面に円弧状のガイド溝が穿設された軸受け部を有し、前記落下防止ガード部材が、枠状本体と、前記軸受け部を軸受け溝の軸方向両側から挟むように前記枠状本体から延出する1対のカバー部と、このカバー部間に掛け渡されるように設けられ、前記軸受け溝に嵌り込んで軸受け溝内で回転自在に支持される軸部と、両カバー部の前記軸受け部側の面に設けられ、軸部が軸受け溝に支持された状態で前記ガイド溝にスライド自在に嵌り込むガイド突起とを備え、前記枠状本体が軸部を中心にして落下防止位置から落下防止解除位置方向に所定位置以上まで回転したとき、枠状本体の回転に伴ってガイド溝に沿ってスライドしたガイド突起のスライド位置でガイド突起を中心に軸部が回転して軸受け溝から離脱可能に構成されていることを特徴としている。
【０００９】
棚本体部材および落下防止ガードの材質としては特に限定されないが、例えば、アクリロニトリル−ブタジエン−スチレン共重合体(ＡＢＳ樹脂)等の合成樹脂が好ましい。
【発明の効果】
【００１０】
本発明にかかる収納棚は、以上のように、落下防止ガード部材が、枠形状をしているとともに、前記壁面側で壁面に平行な回転軸を中心に回転し、落下防止位置と落下防止解除位置とを選択可能に前記棚本体部材に枢支されているので、物品を載置した状態では落下防止ガード部材を落下防止位置にしておけば、載置された物品がすべり落ちたり転落したりすることがない。そして、清掃時には落下防止ガード部材を回転軸である軸部を中心に
枠状本体が落下防止解除位置まで回転させれば、棚本体の清掃を容易に行うことができる。しかも、落下防止ガード部材が枠形状をしているので、落下防止ガード部材の強度が向上し、使用中の脱落や、破損を防止できる。
【００１１】
また、棚本体部材が、室内壁面側の端縁に沿って上面に軸受け溝が穿設され、両側面に円弧状のガイド溝が穿設された軸受け部を有し、
落下防止ガード部材が、枠状本体と、前記軸受け部を軸受け溝の軸方向両側から挟むように前記枠状本体から延出する1対のカバー部と、このカバー部間に掛け渡されるように設けられ、前記軸受け溝に嵌り込んで軸受け溝内で回転自在に支持される軸部と、両カバー部の前記軸受け部側の面に設けられ、軸部が軸受け溝に支持された状態で前記ガイド溝にスライド自在に嵌り込むガイド突起とを備え、前記枠状本体が軸部を中心にして落下防止位置から落下防止解除位置方向に所定位置以上まで回転したとき、枠状本体の回転に伴ってガイド溝に沿ってスライドしたガイド突起のスライド位置でガイド突起を中心に軸部が回転して軸受け溝から離脱可能に構成すれば、軸受け溝内を容易に清掃することができる。しかも、ガイド突起がガイド溝内に入り込んだ状態のままガイド突起を中心に回転させるので、落下防止ガード部材が棚本体部材から離れることがない。したがって、元の状態に戻すことが容易である。
【発明を実施するための最良の形態】
【００１２】
以下に、本発明を、その実施の形態をあらわす図面を参照しつつ詳しく説明する。
図１および図１１は、本発明にかかる収納棚の１つの実施の形態をあらわしている。
【００１３】
図１〜図２に示すように、この収納棚１は、棚本体部材２と、落下防止ガード部材３とを備えている。
棚本体部材２は、図１〜図４および図７〜図１１に示すように、棚板部２１と、軸受け部２２と、ガード部材受け部２３とを備えている。
【００１４】
棚板部２１は、略矩形の板状をしている。
軸受け部２２は、棚板部２１の室内壁面Ｗ側の端縁に沿って上方に立ち上がるように設けられていて、上面に棚板部２１の端縁に平行な軸受け溝２４が穿設されている。
【００１５】
軸受け溝２４は、上部開口の断面半円弧状をした軸受け面を備え、軸受け部２２の両側面２５で開口しているとともに、室内壁面側の壁面が中央で切り欠かれている。
また、軸受け部２２の両側面２５には、後述するガイド突起３４のガイド溝２６が穿設されている。
【００１６】
ガイド溝２６は、棚板部２１の軸受け面とほぼ同心円となるように設けられ、内縁側の一部に外部に開口するガイド突起３４の挿入溝２７が穿設されている。
軸受け部２２の室内壁面側の面には、後述するトラスタッピンビス４の頭部４１が嵌り込む係止凹部２８が左右に設けられている。
【００１７】
ガード部材受け部２３は、軸受け部２２よりその高さが低く、軸受け部２２の両端から棚板部２１の側縁の約半分の位置まで設けられている。
落下防止ガード部材３は、図１、図２、図５〜図１１に示すように、枠状本体３１と、一対のカバー部３２と、軸部３３と、ガイド突起３４とを備えている。
【００１８】
枠状本体３１は、棚の前後方向の長さが、軸受け部２２の端縁から棚板部２１の前端縁までの長さとほぼ同じで、幅が棚板部２１の幅とほぼ同じ幅をした平面視ほぼ矩形をしていて、落下防止位置にあるときに、側面の厚さが、ガード部材受け部２３に受けられる後端部分３１ａが厚くなっていて、前端部分３１ｂが薄くなっている。
【００１９】
２つのカバー部３２は、枠状本体３１の後端部分３１ａと同じ高さ幅で枠状本体３１の側面と面一に後方に延出し、後述する軸部３３が軸受け溝２４に嵌り込んだ状態で軸受け部２２をその側面２５側から挟むように配置されている。
軸部３３は、２つのカバー部３２間に跨るように設けられ、軸受け溝２４に嵌り込むとともに、肉盗み部分３３ａ以外の部分が軸受け面に沿う断面円弧状をしている。
【００２０】
ガイド突起３４は、カバー部３２の軸受け部２２に対面する面に設けられ、挿入溝２７およびガイド溝２６に挿入可能な大きさをしていて、軸部３３が軸受け溝２４内に嵌り込んだ状態で枠状本体３１を、軸部３３を中心にして回転させたときに、ガイド溝２６内をガイドされながらスライドするようになっている。
【００２１】
そして、この収納棚１は、図７および図８に示すように、挿入溝２７を介してガイド突起３４をガイド溝２６内に挿入するとともに、軸部３３を軸受け溝２４内に挿入した状態に棚本体部材２と落下防止ガード部材３とを組み立てることによって得られる。
すなわち、この組立状態で、落下防止ガード部材３が軸部３３を中心にして回転自在に支持され、図９に示すように、枠状本体３１の後端部分３１ａが棚本体部材２のガード部材受け部２３に受けられた落下防止位置と、図１０に示すように、枠状本体３１と棚板部２１とほぼ直角となる清掃位置とを選択できる。
【００２２】
また、清掃位置まで枠状本体３１を回転させた状態では、ガイド突起３４の回転中心と軸部３３との最短距離Ｘが、ガイド突起３４の回転中心とガイド溝２６の上端縁までの距離Ｙとほぼ同じか少し長くなっており、落下防止ガード部材３の軸部３３を上方に押し上げながら枠状本体３１を棚板部２１側に倒すようにすることで、図１１に示すように、軸部３３が軸受け溝２４からはずれ、軸受け溝２４が外部に露出する。
【００２３】
そして、ガイド突起３４をガイド溝２６の清掃位置に保った状態で、枠状本体３１を引き起こしつつ室内壁面Ｗ側に引き戻せば、軸部３３がガイド溝２６内に嵌り込み、再び軸部３３を中心にして枠状本体３１を回転させることができる。
【００２４】
また、この収納棚１は、図１に示すように、２つの係止凹部２８の間隔と同じ間隔をあけて室内壁面Ｗの収納棚取り付け位置に２本のトラスタッピンビス４を水平にねじ込んだのち、矢印で示すように、棚本体部材２の後端面を室内壁面Ｗに沿わせながら下方に押し下げて、図２に示すように、係止凹部２８にトラスタッピンビス４の頭部４１を嵌め込むことによって室内壁面Ｗに固定される。
そして、室内壁面Ｗに上記のようにして固定された収納棚１は、室内壁面Ｗに沿って上方にスライドさせれば、室内壁面Ｗから容易に取り外すことができる。
しかも、枠状本体３１を備えているので、落下防止ガード部材３が強度的に優れたものとなっている。
【００２５】
本発明にかかる収納棚は、上記の実施の形態に限定されない。たとえば、上記の実施の形態では、軸受け溝に軸部を嵌め込むことによって落下防止ガード部材を軸支していたが、
軸受け溝を無くし、軸ねじ等を用いて落下防止ガード部材を棚本体部材に軸支するようにしても構わない。
【図面の簡単な説明】
【００２６】
【図１】本発明にかかる収納棚の１つの実施の形態の正面側からみた斜視図である。
【図２】図１の収納棚の背面側からみた斜視図である。
【図３】図１の収納棚の棚板本体部材を底面側からみた斜視図である。
【図４】図３のＩ−Ｉ線断面図である。
【図５】図１の収納棚の落下防止ガード部材を底面側からみた斜視図である。
【図６】図５のII−II線断面図である。
【図７】図１の収納棚の棚板本体部材と落下防止ガード部材との組立方法を説明する説明図である。
【図８】図７を反対側からみた図である。
【図９】落下防止ガード部材の動きを収納棚の側面側からみて説明する説明図であって、落下防止位置をあらわしている。
【図１０】落下防止ガード部材の動きを収納棚の側面側からみて説明する説明図であって、棚板部清掃位置をあらわしている。
【図１１】落下防止ガード部材の動きを収納棚の側面側からみて説明する説明図であって、軸受け溝清掃位置をあらわしている。
【符号の説明】
【００２７】
１  収納棚
２  棚本体部材
２１  棚板部（物品載置部）
２２  軸受け部
２４  軸受け溝
２６  ガイド溝
３  落下防止ガード部材
３１  枠状本体
３２  カバー部
３３  軸部（回転軸）
３４  ガイド突起
Ｗ  室内壁面
【図１】
0005196527.tif 000002
【図２】
0005196527.tif 000003
【図３】
0005196527.tif 000004
【図４】
0005196527.tif 000005
【図５】
0005196527.tif 000006
【図６】
0005196527.tif 000007
【図７】
0005196527.tif 000008
【図８】
0005196527.tif 000009
【図９】
0005196527.tif 000010
【図１０】
0005196527.tif 000011
【図１１】
0005196527.tif 000012